(57)【特許請求の範囲】
【請求項１】
流入口（１３）と排出口（１４）を備えるシリンダ（２）内にて案内される動力駆動ピストン（１）を有するプラスチック溶融物ショットピストンにして、弁装置が前記ピストン（１）の戻りストロークの際の前記シリンダの充填並びに前記ピストンの作動ストロークの際のシリンダ内容物の吐出を保障する、プラスチック溶融物ショットピストンにおいて、
連行ピン（４）を用いて、前記ピストン（１）がピストン（１）の前方に配置されたディファレンシャルピストン（５）と固定連結されており、前記ディファレンシャルピストンが、少なくともディファレンシャルピストンの戻された極端位置にて、対応配置されたディファレンシャルシリンダ（６）に配置された前記排出口（１４）を覆い閉じること、及び
前記ピストン（１）の側面が、前記ディファレンシャルピストン（５）の方へ向いたピストン（１）の端面（３）から出発して且つ前記流入口（１３）の下に設けられた少なくとも一つの溝（１２）を有し、この溝は前記ピストン（１）の長さを下回る長さを有すること、及び
前記連行ピン（４）はピストン（１）の側に配置されたシリンダ状部分（９）を有し、前記シリンダ（２）の内部に対して前記溝（１２）を閉ざすために、前記シリンダ状部分（９）上に、軸方向に移動可能なロッキングリング（１１）が配置されていることを特徴とするプラスチック溶融物ショットピストン。
【請求項２】
前記溝（１２）の長さが前記作動ストロークの長さより大きいことを特徴とする、請求項１に記載のプラスチック溶融物ショットピストン。
【請求項３】
前記ピストン（１）の周囲表面にわたって分布するように、様々な横断面を有する複数の溝（１２）が配置されており、それら溝のうちの一つが、前記流入口（１３）と溝（１２）の間の連通をもたらすために前記流入口（１３）の下にもたらされ得ることを特徴とする、請求項１または請求項２に記載のプラスチック溶融物ショットピストン。
【請求項４】
前記ロッキングリング（１１）が、前記連行ピン（４）の前記シリンダ状部分（９）上で案内されるガイドブッシュを備えることを特徴とする、請求項１〜３のいずれか一項に記載のプラスチック溶融物ショットピストン。
【請求項５】
前記連行ピン（４）の前記シリンダ状部分（９）が、前記ロッキングリング（１１）の中心開口部を通って延在することを特徴とする、請求項１〜４のいずれか一項に記載のプラスチック溶融物ショットピストン。
【請求項６】
前記シリンダ状部分（９）の端部にフランジ（１０）が配置されていることを特徴とする、請求項１〜５のいずれか一項に記載のプラスチック溶融物ショットピストン。
【請求項７】
前記ディファレンシャルシリンダ（６）が独立した管として前記シリンダ（２）内に押し込まれており、且つ前記シリンダ（２）及び前記ディファレンシャルシリンダ（６）を貫通するピンによってそこで保持されていることを特徴とする、請求項１〜６のいずれか一項に記載のプラスチック溶融物ショットピストン。
【発明の詳細な説明】
【０００１】
【発明の属する技術分野】
本発明は、流入口並びに排出口を備えるシリンダ内で案内されて動力で駆動されるピストンを有するプラスチック溶融物ショットピストン(Kunststoffschmelze-Schusskolben)にして、その際、複数の弁装置が前記ピストンの戻りストロークの際に前記シリンダを満たすこと並びに前記ピストンの作動ストロークの際にシリンダ内容物を吐出することを保障するプラスチック溶融物ショットピストンに関する。
【０００２】
【従来の技術】
このようなショットピストンは、例えばドイツ特許出願公開第３５２０４５４号明細書(DE 35 20 454 A1)によって知られている。それらは、いくつかの応用に利用され得る。最も知られているものは、射出成形品(Spritzlinge)の射出への利用である。しばしば、このような装置は、逆洗(Rueckspuelen)によるプラスチックフィルタの清掃にも利用される。両方の場合に、ショット体積（ショット量、Schussvolumen)が設定可能に一定のままである必要があり、且つ、通例の曲がり角の多い弁装置が避けられる必要がある。なぜならば、それらは、プラスチック溶融物が制御不能に長い間残る可能性があるコーナーないし透き間容積（デッドスペース、Totraeume）だからである。溶融物の温度が高い場合には、弁内の溶融物の残留は合成物質の制御不能な化学的な変化の危険を意味する。当該周知のプラスチック溶融物ショットピストンの場合には、これらの弁によってショット体積、流動速度、及びしばしばショットのための簡明的確な圧力も調整され得る。
【０００３】
【発明が解決しようとする課題】
本発明は、前述の種類のプラスチック溶融物ショットピストンであって、排出口から流入口への侵入（流れ、あふれ、Uebertritte）と全く同様に流入口から排出口への意図しない侵入が阻止され、その際、プラスチック溶融物量がとどまり得る透き間容積が回避される、また、ショット体積、流動速度並びにそれの圧力、並びに圧力推移が再現可能に調整可能であり、その際、ピストンの逆作動（逆戻り）に比例したシリンダの充填が達成され得るプラスチック溶融物ショットピストンを作り出すという課題を有する。
【０００４】
【課題を解決するための手段】
この課題は、請求項１の構成を有する装置によって解決される。ディファレンシャルピストンを用いて、排出口が充填に応じてショットの開始まで遮断され得る。そして、戻りストロークの間、シリンダが溶融物を、利用ストロークのあいだは完全に遮断され得る経路（手段、Wegen）で受け入れることができる。
別の利点及び構成は従属項から読み取り得る。
【０００５】
【発明の実施の形態】
以下に、本発明の実施例を説明する。
図１は、プラスチック溶融物ショットピストンの、シリンダ内におけるそれの戻りストロークの終端での縦断面を中断して示す。
図２は、図１に示すロッキングリングの拡大された軸方向断面を示す。
図３は、図２に示すロッキングリングの正面図を示す。
【０００６】
図1には、シリンダ２内におけるピストン（ピストン部）１の戻りストローク（リターンストローク、Rueckhub)の終端でのピストン装置の縦断面が示されている。ピストン１の端面３の前方に、連行ピン（連行ボルト、駆動体、Mitnehmerbolzen）４が延在している。当該連行ピンは、その自由端にディファレンシャルピストン（差動ピストン、Differentialkolben）５をもっている。当該ディファレンシャルピストンは、ディファレンシャルシリンダ（差動シリンダ、Differentialzylinder）６にはめられている。他方また、当該ディファレンシャルシリンダは、管(Rohr)として構成されており、シリンダ２の一部に挿着されており、且つ、これと平行ピン（シリンダピン、Zylinderstift)７によって結合させられている。ピストン１は、後ろ側には、シャフト８を有する。当該シャフトを用いて、当該ピストンが、不図示の液圧シリンダ(Hydraulikzylinder)、クランク(Kurbel)、ピニオンあるいはウォーム歯車装置(Ritzel- oder Schneckengetriebe)等によって駆動され得る。
【０００７】
連行ピン４は、ピストン１の端面３に境を接してシリンダ状の部分９を有する。当該シリンダ状の部分上には、フランジ１０まで軸方向に移動可能にロッキングリング（止め輪、Schliessring）１１がはめられている。
【０００８】
端面３から、ピストン１の外側（側面）に沿ってドレン溝（予注入溝、Vorflutnut)として利用される溝１２が延在する。シリンダ２を貫いて流入口１３が通じており、シリンダ２の壁部並びにディファレンシャルシリンダ６の壁部を貫いて排出口１４が通じている。この排出口１４は、両方のピストン１及び５の戻りストロークの際に、ディファレンシャルピストン５によってその極端位置に到達する寸前に隔絶させられ、それによって確実に閉鎖される。
【０００９】
いま図１において左へのピストン１及び５の移動によって作動ストロークが始まると、短い移動距離の後にディファレンシャルピストン５が排出口１４を解放して開く。ピストン１と５の間にあるプラスチック溶融物１５は、ディファレンシャルシリンダ６の縁部に向かって押され、使用可能なシリンダ室の縮小によって加圧状態になる。その際、それは、図２及び図３に拡大されて示されたロッキングリング１１をシリンダ状部分９上でピストン１に向かって押し戻す。この際、当該ロッキングリングの外側ブッシュ(Aussenbuchse)１６の端面がピストンの端面３を少なくとも溝１２の深さまでおおい、それによって当該溝の正面の開口部を、従って流入口１３へのあらゆる連通を閉じる。利用ストロークの継続において、ピストン１によってプラスチック溶融物１５が、シャフト８へ及ぼされる力に相当する圧力で押し出される。その際、調整速度(Stellgeschwindigkeit)も溶融物流動に相当する。
【００１０】
いま戻りストロークが開始されると、ピストン1及びディファレンシャルピストン５が右に向かって図1に示されたそれらの位置へスライドしてもどる。すでに当該運動の最初に、シリンダ２内に存在するプラスチック溶融物１５の圧力が低下させられている。そして、溝１２に侵入する、流入口１３に供給された溶融物の圧力の影響のもとで、ロッキングリング１１がピストン１の端面３から離される。そして、ピストン１と５との新たな逆作動(Ruecklauf)のあいだ、恒常的に溶融物が流入口１３から溝１２を経てロッキングリング１１を通ってシリンダ室内へ流れ、これを連続的に満たし、それによって、シリンダ２内における圧力の圧力不安定あるいは極端な値も、これに供給する流入口１３における圧力の圧力不安定あるいは極端な値も防止する。すでに述べたように、戻りストロークの終端近くに、ディファレンシャルピストン５が排出口１４を閉鎖し、流入口１３も実際的に遮断されている。なぜならば、後続配置されたシリンダ室において容積変化がもはやないからである。
【００１１】
デッドスペース（無活動の空間、透き間容積、Totraeume)あるいは折れ曲がったコーナー(Ecken)がもはや存在しないので、熱いプラスチック溶融物の変化の危険もない。
しばしば、溶融物の異なるコンシステンシー（濃度、粘度、密度）を補整（補償）することができるように、シリンダ室の補充(Wiederauffuellung)に影響を及ぼすことの希望がある。このことは、比較的に簡単に、複数の異なった横断面を有する溝１２によって達成され得る。それらの溝のうちのそのときどきに望まれる溝がピストン１の回転によって流入口１３のもとに、従って作用位置にもたらされる。
【図面の簡単な説明】
【図１】  プラスチック溶融物ショットピストンの、シリンダ内におけるそれの戻りストロークの終端での縦断面図であり、中断されて示された図である。
【図２】  図１に示すロッキングリングの拡大された軸方向断面図である。
【図３】  図２に示すロッキングリングの正面図である。
【符号の説明】
１    ピストン部
２    シリンダ
３    端面
４    連行ピン
５    ディファレンシャルピストン
６    ディファレンシャルシリンダ
７    平行ピン
８    シャフト
９    シリンダ状の部分
１０  フランジ
１１  ロッキングリング
１２  溝
１３  流入口
１４  排出口
１５  プラスチック溶融物
１６  外側ブッシュ
【図１】
0004181698.tif 000002
【図２】
0004181698.tif 000003
【図３】
0004181698.tif 000004